(57)【要約】  注射ペン用のエアショット機構又はプライミング機構を開示する。注射ペンは、カートリッジホルダ及びハウジングを備える。カートリッジホルダはナット部材と相互作用し、これらが相互に回転するとき、ピストンロッドを前進させる事ができる。カートリッジホルダがハウジングに回転可能に連結されており、カートリッジホルダがハウジングに対して回転する事によりナット部材とピストンロッドとが互いに対して回転し、従ってカートリッジホルダとハウジングとの相対的角度回転が、行われるエアショットの大きさを決定する。
2007512932.tif 000002
【特許請求の範囲】
【請求項１】
流体医薬品供給装置（１）であって、
供給される流体医薬品を収容するカートリッジ（５）を支持するカートリッジホルダ（１０）、
カートリッジホルダ（１０）が遠位端に連結されたハウジング（２０）、
外部ネジ山を有するピストンロッド（５０）、及び
ピストンロッド（５０）を長軸方向に駆動するためのピストンロッド駆動器（４０、６０）であって、
ａ）ピストンロッドガイド（４０）に対するピストンロッド（５０）の軸方向の移動を可能にし、回転を防止するようにピストンロッド（５０）と係合するピストンロッドガイド（４０）、及び
ｂ）ピストンロッド（５０）のネジ山と係合する内部ネジ山（６３）を有し、ハウジング（２０）内で長軸方向に移動可能でないナット部材（６０）
を含み、ピストンロッドガイド（４０）とナット部材（６０）とを互いに対して回転させることによって、ピストンロッド（５０）を長軸方向に駆動するピストンロッド駆動器
を備え、
カートリッジホルダ（１０）がハウジング（２０）に回転可能に連結し、且つピストンロッド駆動器（４０、６０）に操作可能に連結していることにより、カートリッジホルダ（１０）とハウジング（２０）が互いに対して回転するとき、ピストンロッドガイド（４０）又はナット部材（６０）が回転し、それによってピストンロッド（５０）が長軸方向に駆動されて所定のエアショット用量を排出することを特徴とする、供給装置（１）。
【請求項２】
カートリッジホルダ（１０）とハウジング（２０）が互いに対して回転可能であり、その回転を制限することによりエアショット用量の大きさを予め決定することを特徴とする、請求項１に記載の流体医薬品供給装置（１）。
【請求項３】
ハウジング（２０）が開口（２４）を備え、カートリッジホルダ（１０）が制限器（１４）を備えており、開口（２４）内における制限器（１４）の動きにより、カートリッジホルダ（１０）とハウジング（２０）との間で可能な角度運動を決定することを特徴とする、請求項２に記載の流体医薬品供給装置（１）。
【請求項４】
ナット部材６０が、多数の遠位ラチェット爪（６７）を有する遠位部（６４）と、多数の近位ラチェット爪（６８）を有する近位部（６６）とを備え、遠位部（６４）と近位部（６６）とが中間部（６５）によって連結されることを特徴とする、請求項３に記載の流体医薬品供給装置（１）。
【請求項５】
遠位ラチェット爪（６７）がカートリッジホルダ（１０）の内表面上に設けられるカートリッジホルダラチェット（１７）と接続することを特徴とする、請求項４に記載の流体医薬品供給装置（１）。
【請求項６】
近位ラチェット爪（６８）がハウジング（２０）の内表面上に設けられる第２ラチェット（２８）と接続することを特徴とする、請求項５に記載の流体医薬品供給装置（１）。
【請求項７】
カートリッジホルダ（１０）が第１の方向に回転するとき、カートリッジホルダラチェット（１７）が遠位ラチェット爪（６７）上をスライドすること、及びカートリッジホルダ（１０）が反対の第２の方向に回転するとき、カートリッジホルダラチェット（１７）が遠位ラチェット爪（６７）と係合することを特徴とする、請求項６に記載の流体医薬品供給装置（１）。
【請求項８】
カートリッジホルダラチェット（１７）と遠位ラチェット爪（６７）との係合により、カートリッジホルダ（１０）の回転と同時にナット部材（６０）が回転すること、及び一方向連結器（７０）によりピストンロッド（５０）がハウジング（２０）に回転に関して固定されることを特徴とする、請求項７に記載の流体医薬品供給装置（１）。
【発明の詳細な説明】
【発明の開示】
【０００１】
発明の技術分野
本発明は、カートリッジから医薬品を所定の用量に分配する医薬品供給装置に関する。本発明は特に、そのような医薬品供給装置のエアショット機構に関する。
【０００２】
関連技術の説明
インシュリンなどの一部の医薬品は自己投薬される。典型的な糖尿病患者は、１日に複数回のインシュリン注射を必要とする。
医薬品供給装置は、医薬品の自己投薬を容易にするために開発された。典型的な医薬品供給装置は、インシュリン又はその他の医薬品を収容するカートリッジが装填されるカートリッジホルダを備える。
【０００３】
医薬品供給装置は、交換可能なカートリッジを有する耐久性の供給装置でもよく、又は密閉型カートリッジを有する事前充填式供給装置でもよい。
カートリッジホルダは近位端及び遠位端を有する細長い構造である。カートリッジホルダの遠位端は、二頭針アセンブリと係合する手段を備える。二頭針アセンブリはカートリッジの遠位端の弾性シールを穿刺し、よって針アセンブリの末端がカートリッジ内に進入する。
【０００４】
カートリッジの近位端はスライド式プランジャによって閉鎖されているので、プランジャがカートリッジの遠位端の方へ移動することにより、針アセンブリを通してカートリッジの内容物を押し出す事ができる。
ユーザが一定用量の医薬品を自己投薬したいとき、医薬品供給装置にカートリッジを装填し、二頭針を装置の遠位端に取り付ける。次にユーザは薬剤の用量を選択し、医薬品供給装置を操作してプランジャを遠位方向に駆動し、選択した用量を供給する。
【０００５】
医薬品供給装置に取り付けられる二頭針は内部管腔内に空気を含むので、ユーザが二頭針を医薬品供給装置に取り付けたまま長期間放置すると、例えば温度変化などにより空気がカートリッジ内に吸引される可能性がある。従って、用量を設定して注射する前に、二頭針アセンブリとカートリッジの両方から確実に空気を抜いておく事が望ましい。
吸引される可能性のあるこのような空気を取り除くため、少量の医薬品を設定し、二頭針を皮膚に挿入せずに注射操作を行う。このような、いわゆるエアショットにより、二頭針から空気が排出される。二頭針の先端を見ていれば、空気が全て排出されたかどうかを容易に確認できる。エアショットの終了時に細かい液体ジェットが見られなければ、新たに少量の薬剤を設定し、そのようなジェットが見られるまでエアショットを行わなければならない。
少量の薬剤の用量設定とそれに続いて行うエアショットを何回も繰り返すことを避けるため、確実にエアショットが１回で済むように、ユーザは幾分多めの用量を設定したいという衝動を感じる場合がある。これが、所定量の排出を可能にする独立したエアショットボタンを有する医薬品供給装置の開発の契機となった。
【０００６】
このような医薬品供給装置は、ＷＯ９８／１０８１４及びＥＰ９３７４７７に開示されている。
上記特許文献に開示された医薬品供給装置は、装置のハウジングを取り巻くリング又はカラーとして形成された独立したエアショットボタンを有する。リングはハウジング内部のナット部材と接続する。リングを回転させるとナット部材も一緒に回転し、ピストンロッドを前進させる。
【０００７】
しかしながら、このような比較的小さなリングを回転させることはいささか厄介である。これは、糖尿病患者によくみられるような弱視又は運動神経の機能低下を持つ人には特に困難である。
また、ＷＯ９８／１０８１４に開示されるリングの欠点は、キャップが装着されていないと保護されないために、二頭針が装着された状態で医薬品供給装置が放置された場合、例えば医薬品供給装置がテーブル上に置かれたままになった場合、装置が偶発的に操作される可能性があることである。医薬品供給装置は、例えば傾斜した表面上を自然に転がって高価な医薬品を排出してしまうかもしれない。
【０００８】
発明の説明
これらの欠点を回避するため、本発明では、カートリッジホルダ自身をエアショットを行う手段として用いる。
カートリッジホルダはその大きさにより容易に把持可能であり、装置が使用されないときは通常キャップにより覆われる。
【０００９】
エアショットを行いたいとき、ユーザはカートリッジホルダをハウジングに対して回転させる。カートリッジホルダは、ピストンロッドガイド及びナット部材を備えるピストンロッド駆動器に操作可能に連結しているので、カートリッジホルダ又はハウジングが回転すると、これら部品が互いに対して回転する。
ピストンロッドガイドとナット部材との相対的な回転により、ピストンロッドが前進する。
【００１０】
好ましい実施形態では、カートリッジホルダとハウジングとの相対的な回転運動は、カートリッジホルダに設けられる開口に対して移動可能なハウジング上の制限器により規定される。
制限器及び開口の配置に対する制限は無く、制限器はハウジング上にあっても、カートリッジホルダ上にあってもよく、開口も同様である。どちらが動くかは問題ではなく、重要なのは開口と制限器との相対的な動きである。
【００１１】
ナット部材は遠位部及び近位部を備え、これらの部位は多数のラチェット爪を有する。遠位部のラチェット爪がカートリッジホルダ内部のラチェットと接続し、近位部のラチェット爪はハウジング内部のラチェットと接続する。
ここで、カートリッジホルダを第１方向に回転させると、遠位ラチェット爪がカートリッジホルダ内周上のラチェット上をスライドし、一方、近位部のラチェット爪はハウジング内周上のラチェットに固定されることにより、ナット部材の回転が防止される。カートリッジホルダを反対の方向に回転して戻すと、ナット部材はその回転に従い、ピストンロッドは回転に関して固定されているので、ナット部材の回転によりネジ込み前進する。
【００１２】
以降、好ましい実施形態及び添付図面を参照しながら本発明を更に詳細に説明する。
図面は、明確性のために模式化且つ単純化し、本発明の理解のために必須の詳細のみを表し、それ以外の詳細は省略した。全図を通して、同じ参照番号が同一部分又は対応する部分に用いられている。
【実施例】
【００１３】
実施形態の詳細な説明
まず、便宜的に用語を定義する。注射装置１の用語「遠位端」とは、注射針を有する末端を意味し、「近位端」は注射ボタン３５を有する反対側の末端を意味する。用語「遠位端」を注射装置１の別の部分に用いる場合、それは、注射装置１の注射針を有する遠位端方向に向く末端を意味し、用語「近位端」は、注射装置１の近位端方向に向く末端を意味する。
図１及び２は、本発明による注射装置１を開示する。注射装置１の外側はハウジング２０の遠位端に連結するカートリッジホルダ１０を備える。ハウジング２０は用量設定機構及び注射機構を備える。
【００１４】
計量ドラム３０の外周壁上には、ハウジング２０の内壁に沿った螺旋状リブ２１と係合する螺旋状トラック３１が設けられている。計量ドラム３０の近位端の直径はハウジング２０の内径より大きく、用量設定ボタン３２を形成しており、ボタンの外周は把持し易いようにきざみを有する。
近位端近傍にフランジ４１を有し、内壁に多数の長軸方向フィン４２を有するピストンロッドガイド４０が、計量ドラム３０内に嵌合する。
【００１５】
ピストンロッド５０はその近位端に、ピストンロッド５０の径より大きな外径を有するノブ５１を有し、このノブ５１はピストンロッドガイド４０内に嵌合する。ノブ５１は多数の長軸方向スロット５２を有し、その中にピストンロッドガイド４０上のフィン４２が嵌合してピストンロッド５０とピストンロッドガイド４０とが互いに連結され、それによりこの２つの素子の間で回転運動が伝達されるようになるが、長軸方向の移動は伝達されない。ピストンロッド５０は更に、円形でない断面を有し、外部ネジ山５３を備える。
ピストンロッドガイド４０は、近位側４６及び遠位側４７の両方にラチェット歯を有する皿４５を介して計量ドラム３０に連結される。ピストンロッドガイド４０のフランジ４１に設けられる１つ以上のピストンロッドガイド爪４３が、皿４５の近位側４６の歯と接続する。皿４５の遠位側４７に設けられる歯は、計量ドラム３０に設けられるラチェットと接続する。
【００１６】
計量ドラム３０の近位端には、注射ボタン３５が装備される。図３に詳細に示す注射ボタン３５は、計量ドラム３０の内表面上のリング状の溝３３に挿入されるリング状の突起物３７を有する事により、計量ドラム３０に回転可能に固定される。弾性部３６は、ピストンロッドガイド４０のフランジ４１の近位側表面を、皿４５及び計量ドラム３０の近位端のラチェット（図示しない）の方へ向かって押す。
計量ドラム３０は更に多数のスリット３４を備え、このスリットは、ピストンロッド５０のノブ５１が計量ドラムの遠位端に入ってきたとき、計量ドラム３０の遠位領域を外側に向かって押し広げる機能を有する。この機能については後述する。
【００１７】
注射装置１の遠位端では、針ホルダ２がカートリッジホルダ１０に固定されている。針ホルダ２は、ネジ山３又は注射針（図示しない）を固定する事が可能な同様の固定手段を有する。別の構成として、針ホルダ２及びカートリッジホルダ１０は、１つのユニットとして成型する事も可能である。
流体医薬品を収容するカートリッジ５は、カートリッジホルダ１０の内部に提供される。カートリッジ５は、ゴムピストン６によってシールされる開放近位端を有する。ゴムピストン６を遠位方向に押し込む事により、注射装置１の遠位端に固定される図示されない注射針を通してカートリッジ５内の流体医薬品を押し出すことができる。最も普通に用いられる注射針は、ユーザの皮膚に侵入するための前針及びカートリッジ５の遠位端の図示されないゴム膜に侵入するための後針を有する二頭注射針である。
【００１８】
カートリッジ５は取り換え可能であるか、又は注射装置１に恒久的に封入可能である。
ナット部材６０は、カートリッジホルダ１０とハウジング２０との連結部に設けられる。このナット部材６０は、ピストンロッド５０の外部ネジ山５３に対応する内部ネジ山６３を有する。ピストンロッド５０がナット部材６０に対して回転すると、ピストンロッド５０はカートリッジ５内にネジ込み前進する。
【００１９】
圧力脚５５がピストンロッド５０とゴムピストン６との間に配置される。好適には、圧力脚５５は、ピストンロッド５０の前進運動から生じる力がゴムピストン６の外周部に伝達されるように、両側に外周リング５６を備える。
更に、一方向連結器７０が設けられる。この一方向連結器７０は穴７１を有し、この穴がピストンロッド５０の円形でない断面と一致する事により、ピストンロッド５０の一方向連結器７０に対する移動は軸方向だけに可能となり、回転が防止される。一方向連結器７０は外面上に爪７２を備え、この爪７２がハウジング２０の内面の第１ラチェット２２と接続するので、一方向連結器７０はハウジング２０に対して一方向にのみ回転する事が可能で、反対方向の回転は防止される。回転可能な方向は、ピストンロッド５０をナット部材６０のネジ山６３にネジ込み前進させる方向であって、ピストンロッド５０の反対方向への移動を防止する。注射の間、一方向連結器７０は、ハウジング２０のラチェット２２内で自由に回転する。
【００２０】
用量設定ボタン３２を時計回りに回転させる事により医薬品の用量を設定するとき、計量ドラム３０をハウジング２０からねじって外し、用量設定ボタン３２と注射ボタン３５をハウジング２０の近位端から外す。ピストンロッドガイド４０は、ハウジング２０と接続する一方向連結器７０によりやはり回転が防止されているピストンロッド５０に連結しているため、回転しない。用量設定ボタン３２を反時計回りに回転させて用量を減らす場合、一方向連結器７０とハウジング２０との間の爪機構７２、２２は、ピストンロッドガイド４０が一緒に反時計方向に回転しないようにブロックする方向以外には殆ど回転しない。
計量ドラム３０をハウジング２０からねじって外すと、計量ドラム３０の図示されていない爪歯が皿４５の遠位側４７の爪歯に当たってカチッという音を鳴らし、例えば用量の設定を示す。
【００２１】
設定した用量を注射するとき、注射ボタン３５をハウジング２０の遠位方向へ押し戻す。この動きの間、計量ドラム３０は反時計回りの方向に回転する。注射ボタン３５にかかる圧力により、フランジ４１のピストンロッドガイド爪４３が強制的に皿４５の近位側４６の爪歯と係合する。この係合と、計量ドラム３０の近位端の内部に設けられる図示されない爪歯と皿４５の遠位側４７の爪歯との間の係合は、共に、計量ドラム３０が反時計回りに回転するとき、回転しない。これにより、ピストンロッドガイド４０は計量ドラム３０と共に回転する。この回転は、ピストンロッドガイド４０とピストンロッド５０との間の連結４２、５２によりピストンロッド５０を強制的に回転させる。ピストンロッド５０は、回転すると、ナット部材６０の内側のネジ山６３から外れ、更にカートリッジホルダ１０内に位置するカートリッジ５に進入する。ピストンロッド５０のこのような前進運動はカートリッジ５内のゴムピストン６を動かし、カートリッジ５に収容された流体医薬品を、針ホルダ２に装着される図示しない注射針から排出する。
一方向連結器７０は、図４に最も詳細に示すクリックオン結合により隣接するナット部材６０に連結される。
【００２２】
ナット部材６０は２つの部分、即ち中間部６５を介して連結される遠位部６４及び近位部６６を備える。これら３つの部分６４、６５、６６は好ましくは１つの部分、即ちナット部材６０として成型される。
ナット部材６０の遠位部６４は、外周上に多数の遠位ラチェット爪６７を有し、このラチェット爪６７は、カートリッジホルダ１０の内側に設けられるカートリッジホルダラチェット１７と相互作用する。
【００２３】
ナット部材６０の近位部６６は、外周上に多数の近位ラチェット爪６８を有し、このラチェット爪６８は、ハウジング２０の内側に設けられる第２ラチェット２８と相互作用する。
カートリッジホルダ１０はハウジング２０に回転可能に接続される。カートリッジホルダ１０の近位端の外側表面には、円形突起物１３が設けられる。この円形突起物１３は、ハウジング２０遠位端の内部に設けられる円形溝２３と係合する。円形突起物１３は溝２３内で回転可能である。回転の間、カートリッジホルダ１０の外側の突起物の形態の制限器１４は、ハウジング２０の開口２４内を移動し、よって開口２４の角度の大きさによって、カートリッジホルダ１０がハウジング２０に対して移動可能な角度が決まる。
【００２４】
ピストンロッド５０によって圧力脚５５及びゴムピストン６がカートリッジ５の遠位端の方へ押し付けられて、カートリッジ５がほぼ空になったとき、ピストンロッド５０上のノブ５１が計量ドラム３０の遠位領域に進入する。用量を設定するとき、計量ドラム３０は、ピストンロッド５０のノブ５１に対して近位方向に移動する。ノブ５１が計量ドラム３０の遠位領域の末端に来たとき、計量ドラムの遠位端の周縁領域には、ノブ５１の外径と計量ドラム３０の遠位領域の内径との差異により外側に向かう圧力がかかる。スリットがそのような周縁領域の動きを援助する。ハウジング２０は内部に内容物終了ラチェットを備え、このラチェットは、計量ドラム３０の遠位領域が外側へ向かって移動する間に遠位領域の周縁部と係合し、よって計量ドラム３０が近位方向に向かって更に移動するのを防止する。計量ドラム３０のこのロック位置はカートリッジ５の内容物の量に合わせて決められ、よってこのような機構により、ユーザはカートリッジ５内の残留内容物の量を超える用量にダイアルを合わせる事ができない。ピストンロッドガイド４０の遠位端及び／又は計量ドラム３０の遠位領域は、例えば、図４に最も詳細に示すように、計量ドラム３０がノブ５１の円錐状遠位部と接したとき、計量ドラム３０の遠位領域を半径方向に押し付けるための、内側に突出する突起物３４１を計量ドラム３０に設ける事等により、計量ドラム３０遠位領域の周縁部の運動を可能にするように構成しなければならない。
エアショットを行う場合、ユーザがカートリッジホルダ１０を反時計回りに回転させると、カートリッジホルダ１０のカートリッジホルダラチェット１７がナット部材６０の遠位爪６７に接する。ナット部材６０の近位爪６８はハウジング２０の第２ラチェット２８と係合し、ハウジング２０とナット部材６０の間の回転運動を防止する。カートリッジホルダ１０が一定の角度だけ回転すると、制限器１４が開口２４の側面と係合し、よって更なる回転を防止する。
【００２５】
その後、ユーザは制限器１４が開口２４の反対側の側面と係合するまでカートリッジホルダ１０を時計回りに回転させる。この回転の間、カートリッジホルダラチェット１７はナット部材６０の遠位ラチェット爪６７と係合し、ナット部材６０を反時計回りに回転させる。更に、ナット部材６０の近位爪６８はラチェット２８内で自由に回転する。一方向連結器７０の爪７２がハウジング内側のラチェット２２と係合することにより、ハウジング２０の内部における一方向連結器７０の回転が防止される。
ナット部材はピストンロッド５０に対して回転し、ピストンロッドは一方向連結器７０により回転しないので、カートリッジ５を装置１に挿入すると、ピストンロッド５０はカートリッジホルダ１０の遠位端の方へ移動し、カートリッジ５内でゴムピストン６を遠位方向に前進させる。
【００２６】
別のエアショット機構を図７及び８に示す。計量ドラム１３０は螺旋状トラック１３１を備える。計量ドラム１３０の近位端において、螺旋状トラック１３１は第１トラック１３１１及び第２トラック１３１２に分かれる。
用量の設定又は排出の通常の操作においては、ハウジング２０の螺旋状リブ１２１は螺旋状トラック１３１及び第１トラック１３１１に導かれる。
【００２７】
エアショットを設定するとき、ユーザは計量ドラム１３０のノブ１３２を近位方向へハウジング２０とは反対側へ向かって引く。この動きは、螺旋状リブ１２１を、第１トラック１３１１の側壁１３１３上でスライドさせて強制的に第２トラック１３１２に入れる。この新しい位置を１２１Ａで示す。
このとき、用量設定ボタン１３２はハウジング２０の近位端から突起する位置に来る。所定のエアショットを排出するため、ユーザは用量設定ボタン１３２を本来の位置に押し戻さなければならない。そうする事により、ネジ山１２１Ａが第１トラックの端面から第２トラック１３１２の端面１３１４へ移動する。この動きにより、計量ドラム１３０の追加的な回転が起こり、用量が排出される。このようなエアショット用量の所定の用量は、第１トラック１３１１と第２トラック１３１２の２つの端面１３１４、１３１５の、角度位置の差異により決定される。
【００２８】
更に別の実施形態を図９に開示する。この実施形態では、計量ドラム２３０のゼロ点は通常より計量ドラム２３０の遠位端よりに配置される。その結果、数字０がハウジングのウィンドゥに表示されるとき、用量設定ボタンを有する計量ドラム２３０の近位部はハウジングの近位端から突出する。この位置を確保するため、計量ドラムを近位方向に付勢するバネを設ける事ができる。
エアショットが完了したら、計量ドラム２３０を単に反時計方向にねじ込み、ハウジングの遠位方向に移動させる。計量ドラム２３０の近位端は多数のラチェット歯２３０１を備え、これらはピストンロッドガイド２４０のフランジ２４１に設けられる、反対の向きを有する多数のラチェット歯２４１１と接続するので、ピストンロッドガイド２４０を計量ドラム２３０の回転に強制的に連動させる。エアショットの後で計量ドラムをゼロ位置に戻すと、計量ドラム２３０のラチェット歯２３０１はピストンロッドガイド２４０のフランジ２４１のラチェット歯と係合する。計量ドラム２３０がゼロ位置に戻った後は、計量ドラムを反時計回り方向に回転させる事により、もう１回エアショットを行うか、或いは計量ドラムを時計回り方向に回転させる事により所望の用量を設定する事ができる。
【００２９】
上記に複数の好ましい実施形態を示したが、本発明がこれらに限定されることはなく、特許請求の範囲に定義される発明の主旨の範囲内で別の方法で実施可能である。
【図面の簡単な説明】
【００３０】
【図１】本発明による供給装置の断面図である。
【図２】本発明による供給装置の分解斜視図である。
【図３】本発明の一実施形態による用量設定機構の詳細断面図である。
【図４】本発明の一実施形態によるエアショット機構の詳細断面図である。
【図５】本発明の一実施形態によるハウジングの斜視図である。
【図６】本発明の一実施形態によるハウジングの断面図である。
【図７】本発明の一実施形態による計量ドラムの斜視図である。
【図８】図７の計量ドラムのトラックの配置を示す。
【図９】別の実施形態による計量ドラムの斜視図である。
【符号の説明】
【００３１】
１    注射装置
２    針ホルダ
３    ネジ山
５    カートリッジ
６    ゴムピストン
１０  カートリッジホルダ
１３  円形突起物
１４  制限器
１７  カートリッジホルダラチェット
２０  ハウジング
２１  螺旋状リブ
２２  第１ラチェット
２３  円形溝
２４  開口
２８  第２ラチェット
３０  計量ドラム
３１  螺旋状トラック
３２  用量設定ボタン
３３  リング状の溝
３４１  内側に突出する突起物
３５  注射ボタン
３６  弾性部
３７  リング状の突起物
４０  ピストンロッドガイド
４１  フランジ
４２  長軸方向フィン
４３  ピストンロッドガイド爪
４５  皿
４６  近位側
４７  遠位側
５０  ピストンロッド
５１  ノブ
５２  長軸方向スリット
５３  外部ネジ山
５５  圧力脚
５６  外周リング
６０  ナット部材
６３  内部ネジ山
６４  遠位部
６５  中間部
６６  近位部
６７  遠位ラチェット歯
６８  近位ラチェット歯
７０  一方向連結器
７１  穴
７２  爪
１２１    螺旋状リブ
１２１Ａ  螺旋状リブの新規位置
１３０    計量ドラム
１３１    螺旋状トラック
１３２    用量設定ボタン
１３１１  第１トラック
１３１２  第２トラック
１３１３  側壁
１３１４  第１トラック末端壁
１３１５  第２トラック末端壁
２３０    計量ドラム
２３０１  計量ドラムラチェット歯
２４０    ピストンロッドガイド
２４１    フランジ
２４１１  フランジラチェット歯
【図１】
2007512932.tif 000003
【図２】
2007512932.tif 000004
【図３】
2007512932.tif 000005
【図４】
2007512932.tif 000006
【図５】
2007512932.tif 000007
【図６】
2007512932.tif 000008
【図７】
2007512932.tif 000009
【図８】
2007512932.tif 000010
【図９】
2007512932.tif 000011
【国際調査報告】
2007512932.tif 000012
2007512932.tif 000013